(57)【特許請求の範囲】
【請求項１】
アナログ音声信号が入力される受信部と、  前記受信部を通じて入力されるアナログ音声信号を増幅する第１増幅部と、  前記第１増幅部から出力される増幅されたアナログ音声信号をデジタル音声信号に変換するＡ／Ｄコンバータと、  前記Ａ／Ｄコンバータから出力されるデジタル音声信号を入力されて出力し、アンテナを通じて受信されて入力されるデジタル音声信号を出力する制御部と、  前記制御部に、前記アンテナを通じて受信される信号の入力及び前記制御部から出力される信号の前記アンテナを通じた送信を制御するＲＦトランシーバーと、  前記制御部から出力されるデジタル音声信号をアナログ音声信号に変換するＤ／Ａコンバータと、  前記Ｄ／Ａコンバータから出力されるアナログ音声信号を増幅する第２増幅部と、  前記第２増幅部から出力されるアナログ音声信号を外部送出する音声出力部と、を含み、  前記制御部は、前記アンテナの時分割機能制御を通じて他の無線通信装置と全二重通信を可能にし、  前記制御部は、制限された範囲内の他のデジタル無線機機能を有する装置と通信グループを設定できるように、前記他のデジタル無線機機能を有する装置に通信グループ設定情報を送信し、  前記制御部は、前記通信グループ設定情報に所定のＲＳＳＩ基準値を含ませて、前記アンテナを通じて伝送し、  前記制御部は、前記アンテナを通じて通信グループ設定情報が受信されれば、前記受信された通信グループ設定情報からＲＳＳＩ基準値を抽出し、測定されたＲＳＳＩ値が前記抽出されたＲＳＳＩ基準値以上であれば、前記受信された通信グループ設定情報を確認することを特徴とする、デジタル無線機機能を有するスマートフォン。
【請求項２】
前記制御部は、コード組み合わせによる分割機能を通じて通信可能な他のデジタル無線機機能を有する装置のグループを設定し、該設定されたグループ内のデジタル無線機機能を有する装置間のみに通信を可能にすることを特徴とする請求項１に記載のデジタル無線機機能を有するスマートフォン。
【請求項３】
前記第１増幅部の出力端に、前記Ａ／Ｄコンバータと並列接続されて、前記第１増幅部から出力される増幅されたアナログ音声信号に音声データが存在するか否かを区分するための比較器をさらに含み、  前記制御部は、前記Ａ／Ｄコンバータ及び比較器と並列接続されて、前記比較器から入力される信号によって、前記Ａ／Ｄコンバータから入力されるデジタル音声信号を前記ＲＦトランシーバーに自動出力することを特徴とする請求項１に記載のデジタル無線機機能を有するスマートフォン。
【請求項４】
前記制御部にＰＴＴを含んだ信号入力用入力部をさらに含むことを特徴とする請求項１に記載のデジタル無線機機能を有するスマートフォン。
【請求項５】
前記制御部に接続されて、前記デジタル無線機機能を有するスマートフォンのシステム設定値及び状態情報を画面表示するディスプレイ部をさらに含むことを特徴とする請求項１に記載のデジタル無線機機能を有するスマートフォン。
【請求項６】
前記制御部は、前記ＲＦトランシーバーに出力する信号を基本パケット及び制御ＩＮＳＴパケットに区分して出力し、前記基本パケットは、音声データを含む送受信デジタル基本フレームであり、前記制御ＩＮＳＴパケットは、音声データ伝送以外に必要な制御用命令語セットを含んだフレームであって、命令が発生する度に、前記基本パケットに連続して別途に伝送されることを特徴とする請求項１に記載のデジタル無線機機能を有するスマートフォン。
【請求項７】
前記基本パケットは、プリアンブル、開始コード、送信ＩＤ、受信ＩＤ、ペアリングコード、制御ＩＮＳＴ、音声データ、終了コードを含み、前記制御ＩＮＳＴパケットは、パケットディレイ、スロット数、スロット順位、マスタ、スレーブ、遠隔送信、Ｒｅｓｅｒｖｅ１、Ｒｅｓｅｒｖｅ２を含むことを特徴とする請求項６に記載のデジタル無線機機能を有するスマートフォン。
【請求項８】
前記制御ＩＮＳＴパケットのマスタ及びスレーブには、制御用命令語セットを配布するマスタ及び前記マスタを通じて配布される制御用命令語セットを受信するスレーブについての情報が含まれ、前記マスタが制御用命令語セットを配布する権限を特定スレーブに移転する情報も含まれることを特徴とする請求項７に記載のデジタル無線機機能を有するスマートフォン。
【請求項９】
前記制御ＩＮＳＴパケットの遠隔送信には、マスタの特定スレーブに対する送信制御及び単独受信の情報が含まれることを特徴とする請求項７に記載のデジタル無線機機能を有するスマートフォン。
【請求項１０】
前記制御ＩＮＳＴパケットのスロット数及びスロット順位には、スロット数ｎとスロット順位Ｎとを表示して、通信グループ内の通信者がスロット数ｎを超過時に、最後の順位のＮ通信者を代替して新規な通信者がスロット数内に進入して通信可能（但し、グループ内のスロット数ｎを超過した通信者も、あらゆる通信者の受信を常時可能）にすることを特徴とする請求項７に記載のデジタル無線機機能を有するスマートフォン。
【請求項１１】
前記基本パケットの最大時間スロット（Ｔｎ）は、パケットディレイ（Ｔ）／スロット数（ｎ）（但し、スロット数ｎは、＜最大伝送速度／一般的音声サンプリング速度２０ｋｂｐｓ＞よりも小さな整数、必要に応じて、データ圧縮でスロット数ｎ拡張可能）であることを特徴とする請求項６に記載のデジタル無線機機能を有するスマートフォン。
【請求項１２】
前記制御部は、前記アンテナを通じた他のデジタル無線機機能を有する装置からの信号受信待機状態または前記受信部を通じたアナログ音声信号の受信待機状態で、予め設定された時間の間にスリープモードを保持した後、予め設定された時間の間にオートポーリングモードで動作し、前記スリープモード及びオートポーリングモードの転換を反復して、受信待機時の電力消耗を減らすことを特徴とする請求項１に記載のデジタル無線機機能を有するスマートフォン。
【請求項１３】
前記制御部は、前記通信グループ設定情報をＤＴＭＦ信号に変換して、前記音声出力部を通じて送出し、  前記制御部は、前記受信部を通じてＤＴＭＦ信号が入力されれば、前記入力されるＤＴＭＦ信号をデコーディングして通信グループ設定情報を獲得することを特徴とする請求項１に記載のデジタル無線機機能を有するスマートフォン。
【請求項１４】
前記ＤＴＭＦ信号は、４×４行列の周波数成分を有することを特徴とする請求項１３に記載のデジタル無線機機能を有するスマートフォン。
【請求項１５】
前記通信グループ設定情報は、制御ＩＮＳＴパケットを含み、前記ＲＳＳＩ基準値は、前記制御ＩＮＳＴパケットのＲｅｓｅｒｖｅ１またはＲｅｓｅｒｖｅ２領域に含まれることを特徴とする請求項１に記載のデジタル無線機機能を有するスマートフォン。
【請求項１６】
前記通信グループ設定情報は、前記通信グループに含まれる他のデジタル無線機機能を有する装置のＩＤ、ペアリングコード、マスタ、スレーブ、制御ＩＮＳＴを含むことを特徴とする請求項１に記載のデジタル無線機機能を有するスマートフォン。
【請求項１７】
前記制御部は、前記デジタル無線機機能を有するスマートフォンがリピーターまたはリレー機能を行えるように、前記アンテナを通じて受信される信号を増幅して、前記アンテナを通じて伝送することを特徴とする請求項１に記載のデジタル無線機機能を有するスマートフォン。
【請求項１８】
前記制御部は、前記デジタル無線機機能を有するスマートフォンが供与体無線機で動作できるように、他のデジタル無線機機能を有する装置から受信された信号をＶｏＩＰネットワークに伝送し、前記ＶｏＩＰネットワークを通じて受信された信号を他のデジタル無線機機能を有する装置に伝送することを特徴とする請求項１に記載のデジタル無線機機能を有するスマートフォン。
【請求項１９】
アナログ音声信号が入力される受信部と、  前記受信部を通じて入力されるアナログ音声信号を増幅する第１増幅部と、  前記第１増幅部から出力される増幅されたアナログ音声信号をデジタル音声信号に変換するＡ／Ｄコンバータと、  前記Ａ／Ｄコンバータから出力されるデジタル音声信号を入力されて出力し、アンテナを通じて受信されて入力されるデジタル音声信号を出力する制御部と、  前記制御部に、前記アンテナを通じて受信される信号の入力及び前記制御部から出力される信号の前記アンテナを通じた送信を制御するＲＦトランシーバーと、  前記制御部から出力されるデジタル音声信号をアナログ音声信号に変換するＤ／Ａコンバータと、  前記Ｄ／Ａコンバータから出力されるアナログ音声信号を増幅する第２増幅部と、  前記第２増幅部から出力されるアナログ音声信号を外部送出する音声出力部と、を含み、  前記制御部は、前記アンテナの時分割機能制御を通じて他の無線通信装置と全二重通信を可能にし、  前記制御部は、制限された範囲内の他のデジタル無線機機能を有する装置と通信グループを設定できるように、前記他のデジタル無線機機能を有する装置に通信グループ設定情報を送信し、  前記制御部は、前記通信グループ設定情報に所定のＲＳＳＩ基準値を含ませて、前記アンテナを通じて伝送し、  前記制御部は、前記アンテナを通じて通信グループ設定情報が受信されれば、前記受信された通信グループ設定情報からＲＳＳＩ基準値を抽出し、測定されたＲＳＳＩ値が前記抽出されたＲＳＳＩ基準値以上であれば、前記受信された通信グループ設定情報を確認することを特徴とする、デジタル無線機機能を有するブルートゥースイヤセット。
【請求項２０】
前記制御部は、コード組み合わせによる分割機能を通じて通信可能な他のデジタル無線機機能を有する装置のグループを設定し、該設定されたグループ内のデジタル無線機機能を有する装置間のみに通信を可能にすることを特徴とする請求項１９に記載のデジタル無線機機能を有するブルートゥースイヤセット。
【請求項２１】
前記第１増幅部の出力端に、前記Ａ／Ｄコンバータと並列接続されて、前記第１増幅部から出力される増幅されたアナログ音声信号に音声データが存在するか否かを区分するための比較器をさらに含み、  前記制御部は、前記Ａ／Ｄコンバータ及び比較器と並列接続されて、前記比較器から入力される信号によって、前記Ａ／Ｄコンバータから入力されるデジタル音声信号を前記ＲＦトランシーバーに自動出力することを特徴とする請求項１９に記載のデジタル無線機機能を有するブルートゥースイヤセット。
【請求項２２】
前記制御部にＰＴＴを含んだ信号入力用入力部をさらに含むことを特徴とする請求項１９に記載のデジタル無線機機能を有するブルートゥースイヤセット。
【請求項２３】
前記ブルートゥースイヤセットとペアリングされたスマートフォンが、前記制御部に接続されて、前記デジタル無線機機能を有するブルートゥースイヤセットのシステム設定値及び状態情報を画面表示して変更することを特徴とする請求項１９に記載のデジタル無線機機能を有するブルートゥースイヤセット。
【請求項２４】
前記制御部は、前記ＲＦトランシーバーに出力する信号を基本パケット及び制御ＩＮＳＴパケットに区分して出力し、前記基本パケットは、音声データを含む送受信デジタル基本フレームであり、前記制御ＩＮＳＴパケットは、音声データ伝送以外に必要な制御用命令語セットを含んだフレームであって、命令が発生する度に、前記基本パケットに連続して別途に伝送されることを特徴とする請求項１９に記載のデジタル無線機機能を有するブルートゥースイヤセット。
【請求項２５】
前記基本パケットは、プリアンブル、開始コード、送信ＩＤ、受信ＩＤ、ペアリングコード、制御ＩＮＳＴ、音声データ、終了コードを含み、前記制御ＩＮＳＴパケットは、パケットディレイ、スロット数、スロット順位、マスタ、スレーブ、遠隔送信、Ｒｅｓｅｒｖｅ１、Ｒｅｓｅｒｖｅ２を含むことを特徴とする請求項２４に記載のデジタル無線機機能を有するブルートゥースイヤセット。
【請求項２６】
前記制御ＩＮＳＴパケットのマスタ及びスレーブには、制御用命令語セットを配布するマスタ及び前記マスタを通じて配布される制御用命令語セットを受信するスレーブについての情報が含まれ、前記マスタが制御用命令語セットを配布する権限を特定スレーブに移転する情報も含まれることを特徴とする請求項２５に記載のデジタル無線機機能を有するブルートゥースイヤセット。
【請求項２７】
前記制御ＩＮＳＴパケットの遠隔送信には、マスタの特定スレーブに対する送信制御及び単独受信の情報が含まれることを特徴とする請求項２５に記載のデジタル無線機機能を有するブルートゥースイヤセット。
【請求項２８】
前記制御ＩＮＳＴパケットのスロット数及びスロット順位には、スロット数ｎとスロット順位Ｎとを表示して、通信グループ内の通信者がスロット数ｎを超過時に、最後の順位のＮ通信者を代替して新規な通信者がスロット数内に進入して通信可能（但し、グループ内のスロット数ｎを超過した通信者も、あらゆる通信者の受信を常時可能）にすることを特徴とする請求項２５に記載のデジタル無線機機能を有するブルートゥースイヤセット。
【請求項２９】
前記基本パケットの最大時間スロット（Ｔｎ）は、パケットディレイ（Ｔ）／スロット数（ｎ）（但し、スロット数ｎは、＜最大伝送速度／一般的音声サンプリング速度２０ｋｂｐｓ＞よりも小さな整数、必要に応じて、データ圧縮でスロット数ｎ拡張可能）であることを特徴とする請求項２４に記載のデジタル無線機機能を有するブルートゥースイヤセット。
【請求項３０】
前記制御部は、前記アンテナを通じた他のデジタル無線機機能を有する装置からの信号受信待機状態または前記受信部を通じたアナログ音声信号の受信待機状態で、予め設定された時間の間にスリープモードを保持した後、予め設定された時間の間にオートポーリングモードで動作し、前記スリープモード及びオートポーリングモードの転換を反復して、受信待機時の電力消耗を減らすことを特徴とする請求項１９に記載のデジタル無線機機能を有するブルートゥースイヤセット。
【請求項３１】
前記制御部は、前記通信グループ設定情報をＤＴＭＦ信号に変換して、前記音声出力部を通じて送出し、  前記制御部は、前記受信部を通じてＤＴＭＦ信号が入力されれば、前記入力されるＤＴＭＦ信号をデコーディングして通信グループ設定情報を獲得することを特徴とする請求項１９に記載のデジタル無線機機能を有するブルートゥースイヤセット。
【請求項３２】
前記ＤＴＭＦ信号は、４×４行列の周波数成分を有することを特徴とする請求項３１に記載のデジタル無線機機能を有するブルートゥースイヤセット。
【請求項３３】
前記通信グループ設定情報は、制御ＩＮＳＴパケットを含み、前記ＲＳＳＩ基準値は、前記制御ＩＮＳＴパケットのＲｅｓｅｒｖｅ１またはＲｅｓｅｒｖｅ２領域に含まれることを特徴とする請求項１９に記載のデジタル無線機機能を有するブルートゥースイヤセット。
【請求項３４】
前記通信グループ設定情報は、前記通信グループに含まれる他のデジタル無線機機能を有する装置のＩＤ、ペアリングコード、マスタ、スレーブ、制御ＩＮＳＴを含むことを特徴とする請求項１９に記載のデジタル無線機機能を有するブルートゥースイヤセット。
【請求項３５】
前記制御部は、前記デジタル無線機機能を有するブルートゥースイヤセットがリピーターまたはリレー機能を行えるように、前記アンテナを通じて受信される信号を増幅して、前記アンテナを通じて伝送することを特徴とする請求項１９に記載のデジタル無線機機能を有するブルートゥースイヤセット。
【発明の詳細な説明】
【技術分野】
【０００１】
本発明は、スマートフォン及びブルートゥースイヤセットに係り、例えば、全二重通信（Ｆｕｌｌ  Ｄｕｐｌｅｘ）機能を通じて時分割（ｔｉｍｅ  ｓｈａｒｉｎｇ）などの方法で送信と受信とが同時になされるようにするデジタル無線機機能を有するスマートフォン及びブルートゥースイヤセットに関する。
【背景技術】
【０００２】
無線機は、無線電信や無線電話をするのに使われる機械であって、無線機を使用すれば、相互連結のための基地局や中継局が不要であり、通話料金が賦課されずにも、相互間交信が行えるという長所がある。このような長所を活かして、無線機は多様な分野で使われるが、その例として、警察を含めて産業現場、工場、軍隊、登山、レジャースポーツ分野で携帯用無線機や生活無線機、車両用無線機、そして、ＴＲＳ（Ｔｒｕｎｋｅｄ  Ｒａｄｉｏ  Ｓｙｓｔｅｍ、周波数共用通信）無線機が使われる。
無線機は、アンテナを通じて受信される信号を変換して、外部スピーカーに出力して受話音を再生し、外部マイクロホンを通じて入力された送話音を相手に伝送するようになっている。
しかし、現在提供されている無線機は、単方向通信（Ｓｉｍｐｌｅｘ）や半二重通信（Ｈａｌｆ  Ｄｕｐｌｅｘ）方式を使用しており、これは、最近開発されているウェアラブル方式の無線機ではさらにそうである。
また、現在提供されている一般的な無線機及び最近開発されているウェアラブル方式の無線機は、通常ＰＴＴ（Ｐｕｓｈ  Ｔｏ  Ｔａｌｋ）ボタンの操作を通じて音声を入力することができるので、その音声入力の過程が比較的不便であり、また、使用用途によって、秘密を必要とするウェアラブル無線機の場合、音声入力動作が視覚的にはっきり見られる短所もある。
また、現在提供されている一般的な無線機及び最近開発されているウェアラブル方式の無線機は、待機過程で多くの電力を消耗する方式なので、バッテリの頻繁な交替が必要な同時にバッテリ放電による機能停止現象が頻繁に発生するものであった。
【発明の概要】
【発明が解決しようとする課題】
【０００３】
本発明の実施形態は、全二重通信機能を通じて時分割などの方法で送信と受信とが同時になされるようにするデジタル無線機機能を有するスマートフォン及びブルートゥースイヤセットを提供する。
また、コード組み合わせによる分割機能を通じて設定される通信グループ内のデジタル無線機機能を有する装置間のみに通信を可能にして、当該通信グループ内のデジタル無線機機能を有する装置間の通信がノイズ及び混線を最大限防止する状態できれいに進行させるデジタル無線機機能を有するスマートフォン及びブルートゥースイヤセットを提供する。
また、使用者がＰＴＴボタンなどの音声入力のための別途操作なしでも、受信部に入力する音声信号をＲＦトランシーバー及びアンテナを通じて自動送出可能にするデジタル無線機機能を有するスマートフォン及びブルートゥースイヤセットを提供する。
また、他のデジタル無線機機能を有する装置の送信を遠隔制御し、複数のデジタル無線機機能を有する装置間にマスタスレーブ関係が形成されて、このようにマスタスレーブ関係が形成されたデジタル無線機機能を有する装置間に音声対話がより効率的になされるようにするデジタル無線機機能を有するスマートフォン及びブルートゥースイヤセットを提供する。
また、例えば、通信グループ設定情報をＤＴＭＦ信号に変換して送出するか、通信グループ設定情報に所定のＲＳＳＩ基準値を含ませて伝送することにより、制限された範囲内の他のデジタル無線機機能を有する装置と通信グループを設定可能にするデジタル無線機機能を有するスマートフォン及びブルートゥースイヤセットを提供する。
【課題を解決するための手段】
【０００４】
前記技術的課題を解決するための本発明によるデジタル無線機機能を有するスマートフォンまたはブルートゥースイヤセットは、アナログ音声信号が入力される受信部；前記受信部を通じて入力されるアナログ音声信号を増幅する第１増幅部；前記第１増幅部から出力される増幅されたアナログ音声信号をデジタル音声信号に変換するＡ／Ｄコンバータ；前記Ａ／Ｄコンバータから出力されるデジタル音声信号を入力されて出力し、アンテナを通じて受信されて入力されるデジタル音声信号を出力する制御部；前記制御部に、前記アンテナを通じて受信される信号の入力及び前記制御部から出力される信号の前記アンテナを通じた送信を制御するＲＦトランシーバー；前記制御部から出力されるデジタル音声信号をアナログ音声信号に変換するＤ／Ａコンバータ；前記Ｄ／Ａコンバータから出力されるアナログ音声信号を増幅する第２増幅部；前記第２増幅部から出力されるアナログ音声信号を外部送出する音声出力部；を含み、前記制御部は、前記アンテナの時分割機能制御を通じて他の無線通信装置と全二重通信を可能にすることを特徴とする。
【０００５】
前記制御部は、コード組み合わせによる分割機能を通じて通信可能な他のデジタル無線機機能を有する装置のグループを設定し、該設定されたグループ内のデジタル無線機機能を有する装置間のみに通信を可能にする。
前記デジタル無線機機能を有するスマートフォンまたはブルートゥースイヤセットは、前記第１増幅部の出力端に、前記Ａ／Ｄコンバータと並列接続されて、前記第１増幅部から出力される増幅されたアナログ音声信号に音声データが存在するか否かを区分するための比較器をさらに含み、前記制御部は、前記Ａ／Ｄコンバータ及び比較器と並列接続されて、前記比較器から入力される信号によって、前記Ａ／Ｄコンバータから入力されるデジタル音声信号を前記ＲＦトランシーバーに自動出力することができる。
前記デジタル無線機機能を有するスマートフォンまたはブルートゥースイヤセットは、前記制御部にＰＴＴを含んだ信号入力用入力部をさらに含みうる。
前記デジタル無線機機能を有するスマートフォンは、前記制御部に接続されて、前記デジタル無線機機能を有するスマートフォンのシステム設定値及び状態情報を画面表示するディスプレイ部をさらに含みうる。
前記デジタル無線機機能を有するブルートゥースイヤセットは、前記ブルートゥースイヤセットとペアリングされたスマートフォンが、前記制御部に接続されて、前記ブルートゥースイヤセットのシステム設定値及び状態情報を画面表示して変更することができる。
前記制御部は、前記ＲＦトランシーバーに出力する信号を基本パケット及び制御ＩＮＳＴパケットに区分して出力し、前記基本パケットは、音声データを含む送受信デジタル基本フレームであり、前記制御ＩＮＳＴパケットは、音声データ伝送以外に必要な制御用命令語セットを含んだフレームであって、命令が発生する度に、前記基本パケットに連続して別途に伝送しうる。
前記基本パケットは、プリアンブル、開始コード、送信ＩＤ、受信ＩＤ、ペアリングコード、制御ＩＮＳＴ、音声データ、終了コードを含み、前記制御ＩＮＳＴパケットは、パケットディレイ、スロット数、スロット順位、マスタ、スレーブ、遠隔送信、Ｒｅｓｅｒｖｅ１、Ｒｅｓｅｒｖｅ２を含みうる。
【０００６】
前記制御ＩＮＳＴパケットのマスタ及びスレーブには、制御用命令語セットを配布するマスタ及び前記マスタを通じて配布される制御用命令語セットを受信するスレーブについての情報が含まれ、前記マスタが制御用命令語セットを配布する権限を特定スレーブに移転する情報も含まれる。
前記制御ＩＮＳＴパケットの遠隔送信には、マスタの特定スレーブに対する送信制御及び単独受信の情報が含まれる。
前記制御ＩＮＳＴパケットのスロット数及びスロット順位には、スロット数ｎとスロット順位Ｎとを表示して、通信グループ内の通信者がスロット数ｎを超過時に、最後の順位のＮ通信者を代替して新規な通信者がスロット数内に進入して通信可能（但し、グループ内のスロット数ｎを超過した通信者も、あらゆる通信者の受信を常時可能）にする。
前記基本パケットの最大時間スロット（Ｔｎ）は、パケットディレイ（Ｔ）／スロット数（ｎ）（但し、スロット数ｎは、＜最大伝送速度／一般的音声サンプリング速度２０ｋｂｐｓ＞よりも小さな整数、必要に応じて、データ圧縮でスロット数ｎ拡張可能）であり得る。
前記制御部は、前記アンテナを通じた他のデジタル無線機機能を有する装置からの信号受信待機状態または前記受信部を通じたアナログ音声信号の受信待機状態で、予め設定された時間の間にスリープモードを保持した後、予め設定された時間の間にオートポーリングモードで動作し、前記スリープモード及びオートポーリングモードの転換を反復して、受信待機時の電力消耗を減らしうる。
前記制御部は、制限された範囲内の他のデジタル無線機機能を有する装置と通信グループを設定できるように、前記他のデジタル無線機機能を有する装置に通信グループ設定情報を送信することができる。
前記制御部は、前記通信グループ設定情報をＤＴＭＦ信号に変換して、前記音声出力部を通じて送出し、前記制御部は、前記受信部を通じてＤＴＭＦ信号が入力されれば、前記入力されるＤＴＭＦ信号をデコーディングして通信グループ設定情報を獲得することができる。
前記ＤＴＭＦ信号は、４×４行列の周波数成分を有しうる。
【０００７】
前記制御部は、前記通信グループ設定情報に所定のＲＳＳＩ基準値を含ませて、前記アンテナを通じて伝送し、前記制御部は、前記アンテナを通じて通信グループ設定情報が受信されれば、前記受信された通信グループ設定情報からＲＳＳＩ基準値を抽出し、測定されたＲＳＳＩ値が前記抽出されたＲＳＳＩ基準値以上であれば、前記受信された通信グループ設定情報を確認することができる。
前記通信グループ設定情報は、制御ＩＮＳＴパケットを含み、前記ＲＳＳＩ基準値は、前記制御ＩＮＳＴパケットのＲｅｓｅｒｖｅ１またはＲｅｓｅｒｖｅ２領域に含まれる。
前記通信グループ設定情報は、前記通信グループに含まれる他のデジタル無線機機能を有する装置のＩＤ、ペアリングコード、マスタ、スレーブ、制御ＩＮＳＴを含みうる。
前記制御部は、前記デジタル無線機機能を有するスマートフォンまたはブルートゥースイヤセットがリピーターまたはリレー機能を行えるように、前記アンテナを通じて受信される信号を増幅して、前記アンテナを通じて伝送しうる。
前記デジタル無線機機能を有するスマートフォンの前記制御部は、前記デジタル無線機機能を有するスマートフォンが供与体無線機で動作できるように、他のデジタル無線機機能を有する装置から受信された信号をＶｏＩＰネットワークに伝送し、前記ＶｏＩＰネットワークを通じて受信された信号を他のデジタル無線機機能を有する装置に伝送しうる。
【発明の効果】
【０００８】
本発明の実施形態によれば、デジタル無線機機能を有するスマートフォン及びブルートゥースイヤセットが、全二重通信機能を通じて時分割などの方法で送信と受信とが同時になされうる。
また、コード組み合わせによる分割機能を通じて設定される通信グループ内のデジタル無線機機能を有する装置間のみに通信を可能にするので、当該通信グループ内のデジタル無線機機能を有する装置間の通信がノイズ及び混線を最大限防止する状態できれいに進行しうる。
また、デジタル無線機機能を有するスマートフォン及びブルートゥースイヤセットが、その受信待機状態をスリープモード及びオートポーリングモードを一周期として、当該周期を繰り返す機能を通じて受信待機状態での消費電力を大きく減らしうる。
また、使用者がＰＴＴボタンなどの音声入力のための別途操作なしでも、受信部に入力する音声信号をＲＦトランシーバー及びアンテナを通じて自動送出することができる。
また、他のデジタル無線機機能を有する装置の送信を遠隔制御し、複数のデジタル無線機機能を有する装置間にマスタスレーブ関係が形成されて、このようにマスタスレーブ関係が形成されたデジタル無線機機能を有する装置間に音声対話がより効率的になされうる。
また、例えば、通信グループ設定情報をＤＴＭＦ信号に変換して送出するか、通信グループ設定情報に所定のＲＳＳＩ基準値を含ませて伝送することにより、制限された範囲内の他のデジタル無線機機能を有する装置と通信グループを設定することができる。
【図面の簡単な説明】
【０００９】
【図１】本発明の一実施形態によるデジタル無線機機能を有するスマートフォンの構成を示したブロック図である。
【図２】本発明の一実施形態によるデジタル無線機機能を有するブルートゥースイヤセットの構成を示したブロック図である。
【図３】本発明の一実施形態によるデジタル無線機機能を有するスマートフォンまたはブルートゥースイヤセットの基本パケット及び制御ＩＮＳＴパケットを示した図面である。
【図４】本発明の一実施形態によるデジタル無線機機能を有するスマートフォンまたはブルートゥースイヤセットの基本パケット及び制御ＩＮＳＴパケットを示した図面である。
【図５】本発明の一実施形態によるデジタル無線機機能を有するスマートフォンまたはブルートゥースイヤセットの通信タイミング図である。
【図６】本発明の一実施形態によるデジタル無線機機能を有するスマートフォンまたはブルートゥースイヤセットの通信タイミング図である。
【図７】本発明の一実施形態によるデジタル無線機機能を有するスマートフォンまたはブルートゥースイヤセットの通信タイミング図である。
【図８】本発明の一実施形態によるデジタル無線機機能を有するスマートフォンまたはブルートゥースイヤセットで信号待機状態の一例を示した図面である。
【図９】本発明の一実施形態によるデジタル無線機機能を有するスマートフォンまたはブルートゥースイヤセットの信号送信過程を示したフローチャートである。
【図１０】本発明の一実施形態によるデジタル無線機機能を有するスマートフォンまたはブルートゥースイヤセットの信号受信過程を示したフローチャートである。
【図１１】本発明の一実施形態によるデジタル無線機機能を有するスマートフォンまたはブルートゥースイヤセットで全二重通信が行われる過程を例示したフローチャートである。
【図１２】本発明の一実施形態によるデジタル無線機機能を有するスマートフォンまたはブルートゥースイヤセットの通信グループ設定方法の一実施形態を示したフローチャートである。
【図１３】本発明の一実施形態によるデジタル無線機機能を有するスマートフォンまたはブルートゥースイヤセットの通信グループ設定方法の他の実施形態を示したフローチャートである。
【図１４】図１３の通信グループ設定方法で使われるＤＴＭＦ信号の一例を示した図面である。
【図１５】本発明の一実施形態によるデジタル無線機機能を有するスマートフォンまたはブルートゥースイヤセットの通信グループ設定方法のさらに他の実施形態を示したフローチャートである。
【図１６】本発明の一実施形態によるデジタル無線機機能を有するスマートフォンまたはブルートゥースイヤセットがリピーターまたはリレーで動作する形状を示した図面である。
【図１７】本発明の一実施形態によるデジタル無線機機能を有するスマートフォンが供与体無線機（Ｄｏｎｏｒ  ｒａｄｉｏ）で動作する形状を示した図面である。
【図１８Ａ】本発明の一実施形態によるデジタル無線機機能を有するスマートフォンの使用状態図の一例を示す。
【図１８Ｂ】本発明の一実施形態によるデジタル無線機機能を有するブルートゥースイヤセットの使用状態図の一例を示す。
【図１８Ｃ】本発明の一実施形態によるデジタル無線機機能を有するスマートフォン及びブルートゥースイヤセットの使用状態図の一例を示す。
【発明を実施するための形態】
【００１０】
以下、図面を参照して、本発明の望ましい実施形態を詳しく説明する。以下、説明及び添付図面で実質的に同じ構成要素は、それぞれ同じ符号で示すことにより、重複説明を省略する。また、本発明を説明するに当って、関連した公知の機能あるいは構成についての具体的な説明が、本発明の要旨を不明にする恐れがあると判断される場合、それについての詳細な説明は省略する。
本発明の実施形態は、互いに異なるが、互いに排他的である必要はないということを理解しなければならない。例えば、本発明の一実施形態に記載されている特定の形状、構造及び特性は、本発明の思想及び範囲を外れずに、他の実施形態として具現可能である。また本発明の実施形態に含まれた各構成要素の位置または配置は、本発明の思想及び範囲を外れずに、変更可能であるということを理解しなければならない。
したがって、後述する詳細な説明は、限定的な意味として取ろうとするものではなく、本発明の範囲は、適切な説明がなされる前提の下に特許請求の範囲の請求項が主張する内容及びこのような請求項の主張内容と均等な範囲とを通じてのみ限定される。図面で類似の参照符号は、多様な側面にわたって同一または類似の機能を称する。
本発明で使われる用語は、本発明での機能を考慮しながら可能な限り現在広く使われる一般的な用語を選択したが、これは、当業者の意図または判例、新たな技術の出現などによって変わりうる。また、特定の場合は、出願人が任意に選定した用語もあり、この場合、該当する発明の説明部分で詳しくその意味を記載する。したがって、本発明で使われる用語は、単純な用語の名称ではない、その用語が有する意味と本発明の全般にわたった内容に基づいて定義されなければならない。
明細書の全体において、ある部分が、ある構成要素を「含む」とする時、これは、特に反対される記載のない限り、他の構成要素を除くものではなく、他の構成要素をさらに含みうることを意味する。また、明細書に記載の「…部」、「．．．モジュール」などの用語は、少なくとも１つの機能や動作を処理する単位を意味し、これは、ハードウェアまたはソフトウェアで具現されるか、ハードウェアとソフトウェアとの組み合わせで具現可能である。
【００１１】
図１は、本発明の一実施形態によるデジタル無線機機能を有するスマートフォンの構成を示したブロック図である。
示したように、本発明の一実施形態によるデジタル無線機機能を有するスマートフォン１００は、受信部１１０、第１増幅部１２０、Ａ／Ｄコンバータ１３０、制御部１４０、ＲＦトランシーバー１５０、Ｄ／Ａコンバータ１６０、第２増幅部１７０、音声出力部１８０、アンテナ２２０を含んで構成される。また、本発明の一実施形態によるデジタル無線機機能を有するスマートフォン１００は、比較器１９０、入力部２００、ディスプレイ部２１０をさらに含んで構成することができる。
【００１２】
図２は、本発明の一実施形態によるデジタル無線機機能を有するブルートゥースイヤセット１００’の構成を示したブロック図である。本発明の一実施形態によるデジタル無線機機能を有するブルートゥースイヤセット１００’は、図１に示されたデジタル無線機機能を有するスマートフォン１００と類似の構成を有するものであって、但し、ブルートゥースイヤセットの特性上、ディスプレイ部２１０を含まず、スマートフォンなどとブルートゥース通信を行うためのブルートゥースモジュール２３０をさらに含んで構成される。
受信部１１０は、アナログ音声信号が入力されるものであって、すなわち、デジタル無線機機能を有するスマートフォンまたはブルートゥースイヤセット１００、１００’の使用者は、受信部１１０を通じて音声を入力する。そして、このような受信部１１０は、通常のマイクであれば良い。
第１増幅部１２０は、受信部１１０を通じて入力されるアナログ音声信号を増幅する。
Ａ／Ｄコンバータ１３０は、第１増幅部１２０から出力される増幅されたアナログ音声信号をデジタル音声信号に変換する。
制御部１４０は、Ａ／Ｄコンバータ１３０から出力されるデジタル音声信号を入力されてＲＦトランシーバー１５０に出力し、また、制御部１４０は、アンテナ２２０を通じて受信されてＲＦトランシーバー１５０を通じて入力されるデジタル音声信号を出力する。ここで、アンテナ２２０を通じて受信されるデジタル音声信号は、他のデジタル無線機機能を有する装置（例えば、本発明の実施形態によるスマートフォンまたはブルートゥースイヤセットまたはその他の無線機装置）から伝送されるか、その他の他の機器から伝送されるデジタル音声信号に該当する。
そして、制御部１４０は、アンテナ２２０の時分割機能制御を通じて他のデジタル無線機機能を有する装置と全二重通信を可能にする。
また、制御部１４０は、コード組み合わせによる分割機能を通じて通信可能な他のデジタル無線機機能を有する装置のグループを設定し、これを通じて設定されたグループ内のデジタル無線機機能を有する装置間のみに通信を可能にする。
ＲＦトランシーバー１５０は、制御部１４０にアンテナ２２０を通じて受信される信号の入力及び制御部１４０から出力される信号のアンテナ２２０を通じた送信を制御する。
Ｄ／Ａコンバータ１６０は、制御部１４０から出力されるデジタル音声信号をアナログ音声信号に変換する。
第２増幅部１７０は、Ｄ／Ａコンバータ１６０から出力されるアナログ音声信号を増幅する。
音声出力部１８０は、第２増幅部１７０から出力されるアナログ音声信号を外部送出するものであって、すなわち、デジタル無線機機能を有するスマートフォンまたはブルートゥースイヤセット１００、１００’の使用者は、音声出力部１８０を通じて他のデジタル無線機機能を有する装置または他の機器から伝送される当該使用者音声を聴取する。このような音声出力部１８０は、通常のスピーカーであれば良い。
比較器１９０は、第１増幅部１２０の出力端にＡ／Ｄコンバータ１３０と並列接続されて第１増幅部１２０から出力される増幅されたアナログ音声信号に音声データが存在するか否かを区分する。そして、制御部１４０は、Ａ／Ｄコンバータ１３０及び比較器１９０と並列接続されて、比較器１９０から入力される信号によって、Ａ／Ｄコンバータ１３０から入力されるデジタル音声信号をＲＦトランシーバー１５０に自動出力する。
すなわち、デジタル無線機機能を有するスマートフォンまたはブルートゥースイヤセット１００、１００’は、比較器１９０の出力信号を通じて第１増幅部１２０の出力信号に音声データが存在するか否かを判別して、音声データ存在時に、当該音声データをＲＦトランシーバー１５０に自動出力してアンテナ２２０を通じて外部送り出されるので、デジタル無線機機能を有するスマートフォンまたはブルートゥースイヤセット１００、１００’の使用者は、ＰＴＴボタンなどの操作をしなくても、受信部１１０に入力する音声をアンテナ２２０を通じて自動で外部送出することができる。
入力部２００は、制御部１４０にＰＴＴを含んだ信号入力機能を行うものであって、このような入力部２００には、ＰＴＴボタンを含んだ多様なボタンなどが含まれる。
ディスプレイ部２１０は、制御部１４０に接続されてデジタル無線機機能を有するスマートフォン１００のシステム設定値及び状態情報を画面表示する。すなわち、デジタル無線機機能を有するスマートフォン１００の使用者は、ディスプレイ部２１０を通じて当該デジタル無線機機能を有するスマートフォン１００に対する多様な設定ができ、また、使用中であるデジタル無線機機能を有するスマートフォン１００の現在設定状態及び動作状態を視覚的に確認することができる。
デジタル無線機機能を有するブルートゥースイヤセット１００’の場合、ブルートゥースイヤセット１００’とペアリングされたスマートフォン（厳密には、スマートフォンに設けられた、ブルートゥースイヤセット１００’と連動するアプリケーション）がブルートゥース通信を通じて制御部１４０に接続して、デジタル無線機機能を有するブルートゥースイヤセット１００’のシステム設定値及び状態情報を画面表示して変更する。すなわち、デジタル無線機機能を有するブルートゥースイヤセット１００’の使用者は、ブルートゥースイヤセット１００’とペアリングされたスマートフォンに設けられたアプリケーションを通じて当該デジタル無線機機能を有するブルートゥースイヤセット１００’に対する多様な設定ができ、また、使用中であるデジタル無線機機能を有するブルートゥースイヤセット１００’の現在設定状態及び動作状態を視覚的に確認することができる。
そして、制御部１４０は、ＲＦトランシーバー１５０に出力する信号を基本パケット及び制御ＩＮＳＴパケットに区分して出力することができる。
【００１３】
図３及び図４は、それを図示したものであって、図３及び図４は、本発明の一実施形態によるデジタル無線機機能を有するスマートフォンまたはブルートゥースイヤセット１００、１００’の基本パケット及び制御ＩＮＳＴパケットを示した図面である。
示したように、前記基本パケットは、音声データを含む送受信デジタル基本フレームであり、前記制御ＩＮＳＴパケットは、音声データ伝送以外に必要な制御用命令語セットを含んだフレームであって、命令が発生する度に、前記基本パケットに連続して別途に伝送されるものである。
そして、前記基本パケットは、プリアンブル、開始コード、送信ＩＤ、受信ＩＤ、パスワードの機能を行うペアリングコード、制御ＩＮＳＴ、音声データ、終了コードを含み、前記制御ＩＮＳＴパケットは、パケットディレイ、スロット数、スロット順位、マスタ、スレーブ、遠隔送信、Ｒｅｓｅｒｖｅ１、Ｒｅｓｅｒｖｅ２を含むものである。ペアリングコードについて詳しく説明すれば、ペアリングコードの一致時に、他のデジタル無線機機能を有する装置と通話連結になる。
そして、前記制御ＩＮＳＴパケットのマスタ及びスレーブには、制御用命令語セットを配布するマスタ及び前記マスタを通じて配布される制御用命令語セットを受信するスレーブについての情報が含まれ、前記マスタが制御用命令語セットを配布する権限を特定スレーブに移転する情報も含まれる。これを通じて２つ以上のデジタル無線機機能を有する装置間には、マスタスレーブ関係が形成され、また、マスタ役割の特定デジタル無線機機能を有する装置を通じて特定スレーブデジタル無線機機能を有する装置にマスタ機能が移転されて、それを中心にデジタル無線機機能を有する装置間の通信が進行することもできる。
また、前記制御ＩＮＳＴパケットの遠隔送信には、マスタの特定スレーブに対する送信制御及び単独受信の情報が含まれる。これを通じてマスタ役割の特定デジタル無線機機能を有する装置で通信グループ内の他のデジタル無線機機能を有する装置のうち、特定デジタル無線機機能を有する装置の信号送受信機能を遠隔制御し、これを基盤に当該通信グループ内のデジタル無線機機能を有する装置間の通信が進行しうる。
また、前記基本パケットの最大時間スロット（Ｔｎ）は、パケットディレイ（Ｔ）／スロット数（ｎ）（但し、スロット数ｎは、＜最大伝送速度／一般的音声サンプリング速度２０ｋｂｐｓ＞よりも小さな整数、必要に応じて、データ圧縮でスロット数ｎ拡張可能）であるものである。
また、前記制御ＩＮＳＴパケットのスロット数及びスロット順位には、スロット数ｎとスロット順位Ｎとを表示して、通信グループ内の通信者がスロット数ｎを超過時に、最後の順位のＮ通信者を代替して新規な通信者がスロット数内に進入して通信可能（但し、グループ内のスロット数ｎを超過した通信者も、あらゆる通信者の受信を常時可能）にするものである。
【００１４】
そして、図５ないし図７は、本発明の一実施形態によるデジタル無線機機能を有するスマートフォンまたはブルートゥースイヤセット１００、１００’の通信タイミング図であって、図５は、ＩＤ  ０１であるスマートフォンまたはブルートゥースイヤセット１００、１００’からＩＤ  ０２である他のスマートフォンまたはブルートゥースイヤセット１００、１００’に時分割方式を通じてパケットを伝送する例を示したものである。
【００１５】
図６は、ＩＤ  ０１であるスマートフォンまたはブルートゥースイヤセット１００、１００’とＩＤ  ０２である他のスマートフォンまたはブルートゥースイヤセット１００、１００’との間に１：１方式の全二重通信及び時分割方式のパケット伝送を通じて通信が行われる過程を例示したものである。
【００１６】
図７は、ＩＤ  ０１ないしＩＤ  ｎであるスマートフォンまたはブルートゥースイヤセット１００、１００’間に１：ｎ方式の全二重通信及び時分割方式のパケット伝送を通じて通信が行われる過程を例示したものである。
再び図１に戻って、また、制御部１４０は、アンテナ２２０を通じた他のデジタル無線機機能を有する装置からの信号受信待機状態または受信部を通じたアナログ音声信号の受信待機状態で、予め設定された時間の間にスリープモードを保持した後、予め設定された時間の間にオートポーリングモードで動作し、前記スリープモード及びオートポーリングモードの転換を反復して、受信待機時の電力消耗を減らしうる。
【００１７】
図８は、それを図示したものであって、図８は、本発明の一実施形態によるデジタル無線機機能を有するスマートフォンまたはブルートゥースイヤセット１００、１００’で信号待機状態の一例を示した図面である。
示したように、デジタル無線機機能を有するスマートフォンまたはブルートゥースイヤセット１００、１００’の受信待機モードは、スリープモード区間とオートポーリング区間とを含む。すなわち、デジタル無線機機能を有するスマートフォンまたはブルートゥースイヤセット１００、１００’の受信待機モードは、スリープモード区間及びオートポーリング区間を一周期にして、他のデジタル無線機機能を有する装置からの音声信号が受信される前までスリープモード区間及びオートポーリング区間の一周期を繰り返し行う。本実施形態では、受信待機モードのスリープモードを保持する設定時間が１８０ｍｓに設定され、オートポーリングを保持する設定時間は２０ｍｓに設定されて、総２００ｍｓを一周期にして、他のデジタル無線機機能を有する装置から音声信号が受信される前まで当該周期を繰り返し行う。
そして、他のデジタル無線機機能を有する装置は、既定の設定時間である２２０ｍｓ音声信号を繰り返し伝送しうる。したがって、他のデジタル無線機機能を有する装置から音声信号が伝送される設定時間である２２０ｍｓ範囲内にスマートフォンまたはブルートゥースイヤセット１００、１００’の受信待機モードのうち、オートポーリングが保持される２０ｍｓの時間が重なるので、スマートフォンまたはブルートゥースイヤセット１００、１００’は、他のデジタル無線機機能を有する装置から伝送される音声信号を受信した後、スマートフォンまたはブルートゥースイヤセット１００、１００’と音声信号を送受信することができる。
これにより、デジタル無線機機能を有するスマートフォンまたはブルートゥースイヤセット１００、１００’は、オートポーリング方式を使用する受信待機モードを通じて既存の常にアクティブ状態で動作する受信待機モードに比べて、受信待機状態での消費電力を大きく減らしうる。
また、制御部１４０は、デジタル無線機機能を有するスマートフォンまたはブルートゥースイヤセット１００、１００’が通信範囲内または制限された範囲内の他のデジタル無線機機能を有する装置と通信グループを設定できるように、他のデジタル無線機機能を有する装置に通信グループ設定情報を送信することができる。制限された範囲内の他のデジタル無線機機能を有する装置と通信グループを設定しようとする場合、制御部１４０は、通信グループ設定情報をＤＴＭＦ信号に変換して音声出力部１８０を通じて送出するか、通信グループ設定情報に所定のＲＳＳＩ基準値を含ませて、アンテナ２２０を通じて伝送しうる。このような動作に関しては、後で図１３ないし図１５を参照してより詳細に説明する。
前述した構成を通じて分かるように、本発明の一実施形態によるデジタル無線機機能を有するスマートフォンまたはブルートゥースイヤセット１００、１００’は、制御部１４０の全二重通信機能を通じて時分割などの方法で送信と受信とが同時になされうる。
また、制御部１４０のコード組み合わせによる分割機能を通じて設定される通信グループ内のデジタル無線機機能を有する装置間のみに通信が可能なので、当該通信グループ内のデジタル無線機機能を有する装置間の通信がノイズ及び混線を最大限防止する状態できれいな状態で進行しうる。
また、制御部１４０の受信待機状態をスリープモード及びオートポーリングモードを一周期として、当該周期を繰り返す機能を通じて受信待機状態での消費電力を大きく減らしうる。
また、比較器１９０及びこのような比較器１９０の信号を通じて受信部１１０を通じて入力される信号にアナログ音声信号が存在するか否かを判別する制御部１４０の機能を通じて、デジタル無線機機能を有するスマートフォンまたはブルートゥースイヤセット１００、１００’の使用者は、ＰＴＴボタンなどの音声入力のための別途操作なしでも、受信部１１０に入力する音声信号をデジタル無線機機能を有するスマートフォンまたはブルートゥースイヤセット１００、１００’のＲＦトランシーバー１５０及びアンテナ２２０を通じて自動送出することができる。
【００１８】
次は、図９ないし図１７を参照して、本発明の一実施形態によるデジタル無線機機能を有するスマートフォンまたはブルートゥースイヤセット１００、１００’の無線通信方法について説明する。
図９は、本発明の一実施形態によるデジタル無線機機能を有するスマートフォンまたはブルートゥースイヤセット１００、１００’の信号送信過程を示したフローチャートである。
示したように、段階（ステップＳ１１０）で、受信部１１０でアナログ音声信号の入力を待機する。
段階（ステップＳ１２０）で、入力部２００を通じたＰＴＴ信号の入力有無または比較器１９０を通じた音声データ存在信号の入力有無を制御部１４０で判断する。
段階（ステップＳ１３０）で、段階（ステップＳ１２０）を通じて入力部２００を通じたＰＴＴ信号の入力があるか、比較器１９０を通じた音声データ存在信号の入力時に、制御部１４０は、デジタル無線機機能を有するスマートフォンまたはブルートゥースイヤセット１００、１００’のＩＤ及びペアリングコードをＲＦトランシーバー１５０に出力する。
段階（ステップＳ１４０）で、制御部１４０は、受信部１１０を通じて入力された後、Ａ／Ｄコンバータ１３０から転換されたデジタル音声信号をＲＦトランシーバー１５０に出力する。
段階（ステップＳ１３０）及び段階（ステップＳ１４０）を通じてデジタル無線機機能を有するスマートフォンまたはブルートゥースイヤセット１００、１００’のＩＤ及びペアリングコード、そして、デジタル音声信号がアンテナ２２０を通じて他のデジタル無線機機能を有する装置に伝送される。
段階（ステップＳ１５０）で、制御部１４０は、ＰＴＴ信号の入力停止または比較器１９０を通じた音声データ存在信号の入力停止有無を判断する。
段階（ステップＳ１６０）で、段階（ステップＳ１５０）を通じてＰＴＴ信号の入力停止または比較器１９０を通じた音声データ存在信号の入力停止が確認される場合、制御部１４０は、送信終了コードをＲＦトランシーバー１５０に出力する。これにより、デジタル無線機機能を有するスマートフォンまたはブルートゥースイヤセット１００、１００’のアンテナ２２０を通じて送信終了信号が他のデジタル無線機機能を有する装置に伝送され、これにより、デジタル無線機機能を有する装置間の送信ルーチンが終了する。
【００１９】
図１０は、本発明の一実施形態によるデジタル無線機機能を有するスマートフォンまたはブルートゥースイヤセット１００、１００’の信号受信過程を示したフローチャートである。
示したように、段階（ステップＳ２１０）で、アンテナ２２０でデジタル音声信号の入力を待機する。
段階（ステップＳ２２０）で、制御部１４０は、アンテナ２２０を通じて受信される信号に他のデジタル無線機機能を有する装置のＩＤ及びペアリングコードが含まれているかを判断する。
段階（ステップＳ２３０）で、制御部１４０は、段階（ステップＳ２２０）を通じてアンテナ２２０から受信される信号に他のデジタル無線機機能を有する装置のＩＤ及びペアリングコードが含まれたと判断時に、入力される他のデジタル無線機機能を有する装置のＩＤ及びペアリングコードをディスプレイ部２１０を通じて表示する。
段階（ステップＳ２４０）で、制御部１４０は、入力される他のデジタル無線機機能を有する装置のデジタル音声信号をＤ／Ａコンバータ１６０に出力し、Ｄ／Ａコンバータ１６０から変換されたアナログ音声信号が音声出力部１８０を通じて出力される。
段階（ステップＳ２５０）で、制御部１４０は、他のデジタル無線機機能を有する装置の伝送信号に送信終了コードが含まれているかを判断する。
段階（ステップＳ２６０）で、制御部１４０は、段階（ステップＳ２５０）を通じて他のデジタル無線機機能を有する装置の伝送信号に送信終了コードが含まれたと確認時に、信号受信動作を終了する。
【００２０】
図１１は、本発明の一実施形態によるデジタル無線機機能を有するスマートフォンまたはブルートゥースイヤセットで全二重通信が行われる過程を例示したフローチャートである。
まず、送信ルーチンについて説明すれば、示したように、段階（ステップＳ３１０）で、受信部１１０でアナログ音声信号の入力を待機する。
段階（ステップＳ３２０）で、入力部２００を通じたＰＴＴ信号の入力有無または比較器１９０を通じた音声データ存在信号の入力有無を制御部１４０で判断する。
段階（ステップＳ３３０）で、前記ＰＴＴ信号の入力または前記音声データ存在信号の入力時に、制御部１４０が基本パケットをＲＦトランシーバー１５０に出力する。
段階（ステップＳ３４０）で、制御部１４０で制御ＩＮＳＴを発生させるか否かを判断する。
段階（ステップＳ３５０）で、制御部１４０が、前記制御ＩＮＳＴを発生させると判断時に、基本パケットに制御ＩＮＳＴパケットを含ませて、ＲＦトランシーバー１５０に出力するか、段階（ステップＳ３５５）で、制御部１４０が、前記制御ＩＮＳＴを発生させないと判断時に、引き続き基本パケットをＲＦトランシーバー１５０に出力する。
段階（ステップＳ３６０）で、制御部１４０で送信終了有無を判断するものであって、すなわち、他のデジタル無線機機能を有する装置が受信を終了する状態の条件であるか否かを判断する。
そして、制御部１４０で送信終了と判断時に、前記受信部１１０でアナログ音声信号の入力を待機する段階以前に復帰され、制御部１４０で送信終了ではないと判断時に、前記ＰＴＴ信号の入力または前記音声データ存在信号の入力時に、前記制御部１４０が基本パケットをＲＦトランシーバー１５０に出力する段階の以前に復帰される。
次は、受信ルーチンについて説明すれば、段階（ステップＳ３１０−１）で、アンテナ２２０でデジタル音声信号の入力を待機する。
段階（ステップＳ３２０−１）で、制御部１４０でアンテナ２２０を通じて受信される信号に他のデジタル無線機機能を有する装置のＩＤ及びペアリングコードが含まれているかを判断する。
段階（ステップＳ３３０−１）で、アンテナ２２０から受信される信号に他のデジタル無線機機能を有する装置の前記ＩＤ及びペアリングコードが含まれたと判断時に、制御部１４０は、当該信号に制御ＩＮＳＴが共に受信されるか否かを判断する。
段階（ステップＳ３４０−１）で、制御部１４０が、前記制御ＩＮＳＴが共に受信されると判断時に、受信される前記ＩＮＳＴを実行する。
段階（ステップＳ３５０−１）で、制御部１４０の前記制御ＩＮＳＴ実行によって受信パケット情報がディスプレイ部２１０を通じて出力され、音声データが音声出力部１８０を通じて出力される。
段階（ステップＳ３６０−１）で、制御部１４０で受信終了有無を判断するものであって、すなわち、他のデジタル無線機機能を有する装置が送信を終了する状態の条件であるか否かを判断する。
そして、制御部１４０で受信終了と判断時に、前記アンテナ２２０でデジタル音声信号の入力を待機する段階以前に復帰され、制御部１４０で受信終了と判断しない時に、前記アンテナ２２０から受信される信号に他のデジタル無線機機能を有する装置の前記ＩＤ及びペアリングコードが含まれたと判断時に、前記制御部１４０は、当該信号に制御ＩＮＳＴが共に受信されるか否かを判断する段階以前に復帰される。
図１２は、本発明の一実施形態によるデジタル無線機機能を有するスマートフォンまたはブルートゥースイヤセット１００、１００’の通信グループ設定方法の一実施形態を示したフローチャートである。
Ｓ４１０段階で、通信グループを設定しようとするスマートフォンまたはブルートゥースイヤセット１００、１００’が、制御モードとして設定される。
Ｓ４２０段階で、スマートフォンまたはブルートゥースイヤセット１００、１００’の制御部１４０は、設定しようとする通信グループの通信グループ設定情報を決定する。通信グループ設定情報は、例えば、通信グループに含まれる無線通信装置のＩＤ、ペアリングコード、マスタ、スレーブ、制御ＩＮＳＴなどを含みうる。
Ｓ４３０段階で、スマートフォンまたはブルートゥースイヤセット１００、１００’の制御部１４０は、ＲＦトランシーバー１５０とアンテナ２２０とを通じて通信グループ設定情報を伝送する。
Ｓ４４０段階で、他のデジタル無線機機能を有する装置は、通信グループ設定情報を受信し、当該使用者からのグループ参加許容（あるいは、暗黙的許容）があれば、受信された通信グループ設定情報を確認する。
Ｓ４９０段階で、他のデジタル無線機機能を有する装置は、受信された通信グループ設定情報を保存及び設定することにより、スマートフォンまたはブルートゥースイヤセット１００、１００’と他のデジタル無線機機能を有する装置とを含む通信グループが設定される。
そして、スマートフォンまたはブルートゥースイヤセット１００、１００’と他のデジタル無線機機能を有する装置は、受信待機モードに転換する。そうすると、通信グループに含まれたデジタル無線機機能を有する装置間に通信が可能な状態になる。
【００２１】
図１２の実施形態による通信グループ設定方法によれば、通信グループ設定情報の伝送が可能な範囲、すなわち、通信グループを設定しようとするスマートフォンまたはブルートゥースイヤセット１００、１００’の通信範囲内にあるデジタル無線機機能を有する装置間に通信グループを設定することができる。しかし、場合によっては、いわゆる私的な（ｐｒｉｖａｔｅ）通信グループ、すなわち、無線通信範囲よりも小さな制限された範囲内のデジタル無線機機能を有する装置間に通信グループを設定する必要性がある。例えば、数メートルないし数十メートル内に集まった人どうしで通信グループを設定することである。図１２の実施形態による通信グループ設定方法によれば、通信範囲内にあるあらゆるデジタル無線機機能を有する装置に通信グループ設定情報が伝達されるので、通信グループに含まれることを所望しない人が含まれるか、保安上、通信グループに含まれてはされない人が含まれる恐れがある。本発明の他の実施形態では、無線通信範囲よりも小さな制限された範囲内の無線通信装置間に効果的に通信グループを設定することができる通信グループ設定方法を提案する。
【００２２】
図１３は、本発明の一実施形態によるデジタル無線機機能を有するスマートフォンまたはブルートゥースイヤセット１００、１００’の通信グループ設定方法の他の実施形態を示したフローチャートである。
Ｓ４１０段階で、通信グループを設定しようとするスマートフォンまたはブルートゥースイヤセット１００、１００’が、制御モードとして設定される。
Ｓ４２０段階で、スマートフォンまたはブルートゥースイヤセット１００、１００’の制御部１４０は、設定しようとする通信グループの通信グループ設定情報を決定する。通信グループ設定情報は、例えば、通信グループに含まれるデジタル無線機機能を有する装置のＩＤ、ペアリングコード、マスタ、スレーブ、制御ＩＮＳＴなどを含みうる。
Ｓ５１０段階で、スマートフォンまたはブルートゥースイヤセット１００、１００’の制御部１４０は、通信グループ設定が１次グループ設定であるか否かを判断する。ここで、既に通信グループが設定されているならば、１次グループ設定ではないものであって、現在通信グループが設定されていないならば、１次グループ設定と判断することができる。
１次グループ設定ではない場合、図１２の実施形態と同様に、スマートフォンまたはブルートゥースイヤセット１００、１００’の制御部１４０は、ＲＦトランシーバー１５０とアンテナ２２０とを通じて通信グループ設定情報を伝送する（ステップＳ４３０段階）。この場合、Ｓ４３０段階は、例えば、既に設定されている通信グループのデジタル無線機機能を有する装置に新たな通信グループ設定情報を伝送するものである。
１次グループ設定である場合、Ｓ５２０段階に進行して、後述するように、スマートフォンまたはブルートゥースイヤセット１００、１００’の制御部１４０は、ＤＴＭＦ（Ｄｕａｌ−ｔｏｎｅ  ｍｕｌｔｉ−ｆｒｅｑｕｅｎｃｙ）信号を用いて制限された範囲内のデジタル無線機機能を有する装置に通信グループ設定情報を伝達する。本実施形態において、ＤＴＭＦ信号は、音声出力部１８０（例えば、スピーカー）を通じて音響で送り出されるが、音響は、制限された距離までに到達するので、制限された範囲内のデジタル無線機機能を有する装置間に通信グループを設定することが可能である。
Ｓ５２０段階で、スマートフォンまたはブルートゥースイヤセット１００、１００’の制御部１４０は、スマートフォンまたはブルートゥースイヤセット１００、１００’の外装スピーカー及びマイクがＯＮ状態であるか否かを確認する。外装スピーカー及びマイクがないか、ＯＮ状態ではなければ、音響を送出することができないので、スマートフォンまたはブルートゥースイヤセット１００、１００’の制御部１４０は、ＲＦトランシーバー１５０とアンテナ２２０とを通じて通信グループ設定情報を伝送する（ステップＳ４３０段階）。
外装スピーカー及びマイクがＯＮ状態であれば、Ｓ５３０段階で、スマートフォンまたはブルートゥースイヤセット１００、１００’の制御部１４０は、通信グループ設定情報をＤＴＭＦ信号に変換する。例えば、ＤＴＭＦ信号が４×４行列の周波数成分を有する場合、重畳トーン（２つの周波数の組み合わせ）として１６進数値を表現することができる。
【００２３】
図１４は、ＤＴＭＦ信号の一例を示した図面であって、各行は、低周波成分を、各列は、高周波成分を示す。示したように、４×４行列の周波数成分を有し、０〜Ｆまでの１６進数を表現することができる。例えば、通信グループ設定情報として通信グループに含まれる無線通信装置のＩＤ、ペアリングコード、マスタ、スレーブ、制御ＩＮＳＴなど８個の１６進数データが必要であれば、８個のＤＴＭＦ信号（重畳トーン）を生成すれば良い。
Ｓ５４０段階で、スマートフォンまたはブルートゥースイヤセット１００、１００’の制御部１４０は、ＤＴＭＦ信号を音声出力部１８０を通じて外部に送出する。例えば、音声出力部１８０を通じて８個の重畳トーンが順次に送り出される。
そうすると、Ｓ５５０段階で、スマートフォンまたはブルートゥースイヤセット１００、１００’周辺の他のデジタル無線機機能を有する装置は、受信部１１０（例えば、マイク）を通じてＤＴＭＦ信号を受信する。スマートフォンまたはブルートゥースイヤセット１００、１００’の音声出力部１８０を通じて出る音の大きさ及び他のデジタル無線機機能を有する装置の受信部１１０の感度によって、ＤＴＭＦ信号は、数メートルないし十数メートル内で伝達されうる。したがって、数メートルないし十数メートル範囲内のデジタル無線機機能を有する装置どうしで通信グループを設定させうる。もし、ＤＴＭＦ信号の周波数を超音波帯域にするならば、周辺騒音が激しい場所でもＤＴＭＦ信号を送受信することができる。
Ｓ５６０段階で、ＤＴＭＦ信号を受信した他のデジタル無線機機能を有する装置の制御部１４０は、使用者からのグループ参加許容（あるいは、暗黙的許容）があれば、受信されたＤＴＭＦ信号をデコーディングして通信グループ設定情報を獲得する。例えば、他のデジタル無線機機能を有する装置の制御部１４０は、受信されたＤＴＭＦ信号から当該１６進数データを復元することにより、通信グループ設定情報を獲得することができる。
Ｓ４９０段階で、他のデジタル無線機機能を有する装置は、獲得された通信グループ設定情報を保存及び設定することにより、スマートフォンまたはブルートゥースイヤセット１００、１００’と他のデジタル無線機機能を有する装置とを含む通信グループが設定される。
そして、スマートフォンまたはブルートゥースイヤセット１００、１００’と他のデジタル無線機機能を有する装置は、受信待機モードに転換する。そうすると、通信グループに含まれたデジタル無線機機能を有する装置間に通信が可能な状態になる。
【００２４】
図１５は、本発明の一実施形態によるデジタル無線機機能を有するスマートフォンまたはブルートゥースイヤセット１００、１００’の通信グループ設定方法のさらに他の実施形態を示したフローチャートである。
Ｓ４１０段階で、通信グループを設定しようとするスマートフォンまたはブルートゥースイヤセット１００、１００’が、制御モードとして設定される。
Ｓ４２０段階で、スマートフォンまたはブルートゥースイヤセット１００、１００’の制御部１４０は、設定しようとする通信グループの通信グループ設定情報を決定する。通信グループ設定情報は、例えば、通信グループに含まれる無線通信装置のＩＤ、ペアリングコード、マスタ、スレーブ、制御ＩＮＳＴなどを含みうる。
Ｓ５１０段階で、スマートフォンまたはブルートゥースイヤセット１００、１００’の制御部１４０は、通信グループ設定が１次グループ設定であるか否かを判断する。ここで、既に通信グループが設定されているならば、１次グループ設定ではないものであって、現在通信グループが設定されていないならば、１次グループ設定と判断することができる。
１次グループ設定ではない場合、図１２の実施形態と同様に、スマートフォンまたはブルートゥースイヤセット１００、１００’の制御部１４０は、ＲＦトランシーバー１５０とアンテナ２２０とを通じて通信グループ設定情報を伝送する（ステップＳ４３０段階）。この場合、Ｓ４３０段階は、例えば、既に設定されている通信グループのデジタル無線機機能を有する装置に新たな通信グループ設定情報を伝送するものである。
１次グループ設定である場合、Ｓ５２０段階で、スマートフォンまたはブルートゥースイヤセット１００、１００’の制御部１４０は、スマートフォンまたはブルートゥースイヤセット１００、１００’の外装スピーカー及びマイクがＯＮ状態であるか否かを確認する。外装スピーカー及びマイクがＯＮ状態であれば、図１３の実施形態と同様に、スマートフォンまたはブルートゥースイヤセット１００、１００’の制御部１４０は、通信グループ設定情報をＤＴＭＦ信号に変換し（ステップＳ５３０段階）、ＤＴＭＦ信号を音声出力部１８０を通じて外部に送出する（ステップＳ５４０段階）。
Ｓ５２０段階で、外装スピーカー及びマイクがないか、ＯＮ状態ではなければ、ＤＴＭＦ信号を使用することができないので、Ｓ６１０段階に進行して、後述するように、スマートフォンまたはブルートゥースイヤセット１００、１００’の制御部１４０は、通信グループ設定情報に所定のＲＳＳＩ基準値を含ませて伝送する。そうすると、ＲＳＳＩ基準値を受信した他のデジタル無線機機能を有する装置は、ＲＳＳＩ基準値と測定されたＲＳＳＩ値とを比較して、その結果によって、通信グループ参加有無を決定することができる。ＲＳＳＩ測定値は、距離に依存的なので、これにより、制限された範囲内のデジタル無線機機能を有する装置間に通信グループを設定することが可能である。
実施形態によっては、外装スピーカー及びマイクの使用可能如何と無関係に、ＤＴＭＦ信号は使用せず、ＲＳＳＩ値を利用することもできる。この場合、図１５のフローチャートでＳ５２０段階ないしＳ５６０段階は省略され、Ｓ５１０段階で１次グループ設定であれば、直ちにＳ６１０段階に進行することもできる。
Ｓ６１０段階で、スマートフォンまたはブルートゥースイヤセット１００、１００’の制御部１４０は、通信グループ設定にＲＳＳＩ値を使用するか否かを判断する。この際、使用者命令に、あるいは予め設定によってＲＳＳＩ値を使用するか否かを判断することができる。ＲＳＳＩ値を使用しないと判断されれば、スマートフォンまたはブルートゥースイヤセット１００、１００’の制御部１４０は、ＲＦトランシーバー１５０とアンテナ２２０とを通じて通信グループ設定情報を伝送する（ステップＳ４３０段階）。
ＲＳＳＩ値を使用すると判断されれば、Ｓ６２０段階で、スマートフォンまたはブルートゥースイヤセット１００、１００’の制御部１４０は、通信グループ設定情報に所定のＲＳＳＩ基準値を含ませる。前述したように、通信グループ設定情報は、制御ＩＮＳＴを含みうるので、例えば、図４に図示された制御ＩＮＳＴパケットのＲｅｓｅｒｖｅ１またはＲｅｓｅｒｖｅ２領域にＲＳＳＩ基準値を含ませることができる。
Ｓ６３０段階で、スマートフォンまたはブルートゥースイヤセット１００、１００’の制御部１４０は、ＲＳＳＩ基準値が含まれた通信グループ設定情報をＲＦトランシーバー１５０とアンテナ２２０とを通じて伝送する。
そうすると、Ｓ６４０段階で、他のデジタル無線機機能を有する装置は、アンテナ２２０を通じてＲＳＳＩ基準値が含まれた通信グループ設定情報を受信し、他のデジタル無線機機能を有する装置の制御部１４０は、受信された通信グループ設定情報からＲＳＳＩ基準値を抽出し、一方、受信された信号のＲＳＳＩ値を測定する。
Ｓ６５０段階で、他のデジタル無線機機能を有する装置の制御部１４０は、測定されたＲＳＳＩ値と通信グループ設定情報から抽出されたＲＳＳＩ基準値とを比較して、測定されたＲＳＳＩ値がＲＳＳＩ基準値以上であるか否かを判断する。
送信側デジタル無線機機能を有する装置と受信側デジタル無線機機能を有する装置とが非常に近接している場合のＲＳＳＩ測定値を最大ＲＳＳＩ値であるとすれば、通常数十メートルの近距離から測定されるＲＳＳＩ値は、最大ＲＳＳＩ値の９０〜９５％程度であり、デジタル無線機機能を有する装置の最大通信距離から測定されるＲＳＳＩ値は、最大ＲＳＳＩ値の５〜１０％程度である。したがって、ＲＳＳＩ基準値は、通信グループを設定しようとする範囲によって適切な値で定められ、使用者の設定によって変更させることもできる。例えば、通信グループを設定しようとする範囲が数十メートルであれば、ＲＳＳＩ基準値は、最大ＲＳＳＩ値の９０％に定められる。
Ｓ６５０段階で、測定されたＲＳＳＩ値がＲＳＳＩ基準値以上と判断されれば、Ｓ６６０段階で、他のデジタル無線機機能を有する装置の制御部１４０は、受信された通信グループ設定情報を確認して、通信グループに含まれる無線通信装置のＩＤ、ペアリングコード、マスタ、スレーブ、制御ＩＮＳＴなどの通信グループ設定情報を獲得する。
そうすると、Ｓ４９０段階で、他のデジタル無線機機能を有する装置は、通信グループ設定情報を保存及び設定することにより、スマートフォンまたはブルートゥースイヤセット１００、１００’と他のデジタル無線機機能を有する装置とを含む通信グループが設定される。
そして、スマートフォンまたはブルートゥースイヤセット１００、１００’と他のデジタル無線機機能を有する装置は、受信待機モードに転換する。そうすると、通信グループに含まれたデジタル無線機機能を有する装置間に通信が可能な状態になる。
【００２５】
図１６は、本発明の一実施形態によるデジタル無線機機能を有するスマートフォンまたはブルートゥースイヤセット１００、１００’がリピーターまたはリレーで動作する形状を示した図面である。
リピーターとは、伝送しようとする無線信号の長距離伝送のために、減衰された信号を再生させるか、出力を高めるなど波形整形または増幅を行う中継機能を意味する。
リレーとは、無線通信網で送信端と受信端との間に１つ以上のリピーターを設けて、通信距離や通信端末数を拡張する機能を意味する。
本発明の実施形態において、スマートフォンまたはブルートゥースイヤセット１００、１００’は、リピーターモードに設定され、リピーターモードで制御部１４０は、送受信ＩＤを変更し、アンテナ２２０を通じて受信された無線信号を一定電力で増幅して、再びアンテナ２２０を通じて伝送しうる。この際、無線信号を受信した２以上のリピーターモードのスマートフォンまたはブルートゥースイヤセット１００、１００’は、相互交信を通じて受信電力の強度を比較して、受信電力が最も大きな無線通信装置がリピーター機能を行える。
例えば、図１６を参照すれば、スマートフォンまたはブルートゥースイヤセット１００、１００’のＩＤ１、ＩＤ２、ＩＤ３（７２０、７３０、７４０）（以下、装置ＩＤ１、ＩＤ２、ＩＤ３（７２０、７３０、７４０）と称する）が、リピーターモードに設定される時、デジタル無線機機能を有する装置Ａ（７１０）が無線信号を伝送するとする。デジタル無線機機能を有する装置Ｂ（７５０）は、装置Ａ（７１０）から遠い距離において、無線信号を直接受信することができない。
装置ＩＤ１、ＩＤ２、ＩＤ３（７２０、７３０、７４０）は、それぞれ装置Ａ（７１０）からの信号を受信し、相互交信を通じて受信電力の強度を比較する。そうすると、受信電力が最も強い装置ＩＤ１（７２０）が装置Ａ（７１０）からの信号を増幅して再び伝送する。装置ＩＤ２、ＩＤ３（７３０、７４０）は、それぞれ装置ＩＤ１（７２０）が伝送した信号を受信し、相互交信を通じて受信電力の強度を比較する。そうすると、受信電力が最も強い装置ＩＤ３（７４０）が、装置ＩＤ１（７２０）から受信した信号を増幅して再び伝送する。そうすると、装置Ｂ（７５０）は、装置ＩＤ３（７４０）から無線信号を受信する。場合によっては、装置Ｂ（７５０）は、装置ＩＤ１（７２０）が伝送した信号を受信することもできるが、装置ＩＤ３（７４０）から受信した信号の電力がさらに強いので、装置ＩＤ３（７４０）から受信した信号を選択する。
結局、装置Ａ（７１０）が伝送した信号は、装置ＩＤ１（７２０）、装置ＩＤ３（７４０）を経由して装置Ｂ（７５０）に伝達される。逆に、装置Ｂ（７５０）が伝送した信号は、装置ＩＤ３（７４０）、装置ＩＤ１（７２０）を経由して装置Ａ（７１０）に伝達される。
【００２６】
図１７は、本発明の一実施形態によるデジタル無線機機能を有するスマートフォン１００が供与体無線機で動作する形状を示した図面である。
供与体無線機とは、ＶｏＩＰネットワーク外の信号をゲートウェイ、スイッチ、ルーターなどＶｏＩＰ装備を通じてＶｏＩＰネットワーク内に伝送するか、逆に、ＶｏＩＰネットワークからの信号をＶｏＩＰ装備を通じて受信して、ＶｏＩＰネットワーク外に伝送する機能を意味する。このような機能を通じて、本発明の実施形態によるデジタル無線機機能を有するスマートフォンまたはブルートゥースイヤセット１００、１００’は、ＶｏＩＰネットワークと連結された全世界の如何なる地域の無線通信装置と通信することができる。
本発明の実施形態において、デジタル無線機機能を有するスマートフォン１００は、供与体無線機で動作できるように、制御部１４０は、セルラーデータネットワークまたはＷｉ−Ｆｉネットワークを通じてゲートウェイ、スイッチ、ルーターなどＶｏＩＰ装備から受信される信号をアンテナ２２０を通じて他のデジタル無線機機能を有する装置に伝送するか、他のデジタル無線機機能を有する装置からアンテナ２２０を通じて受信される信号をセルラーデータネットワークまたはＷｉ−Ｆｉネットワークを通じてゲートウェイ、スイッチ、ルーターなどＶｏＩＰ装備に伝送して、ＶｏＩＰネットワーク内に伝送させうる。
例えば、図１７を参照すれば、第１通信グループ８１０の第１スマートフォン１００（８１１）は、セルラーデータネットワークまたはＷｉ−Ｆｉネットワークを通じてゲートウェイ、スイッチ、ルーターなどＶｏＩＰ装備を経由して、第２通信グループ８２０の第２スマートフォン１００（８２１）と連結される。すなわち、第１スマートフォン１００（８１１）と第２スマートフォン１００（８２１）が、供与体無線機で動作する。第１スマートフォン１００（８１１）と第２スマートフォン１００（８２１）は、互いにセルラーデータネットワークまたはＷｉ−Ｆｉネットワークを通じてゲートウェイ、スイッチ、ルーターなどＶｏＩＰ装備を経由して、ＶｏＩＰ信号を送受信することができる。
第１スマートフォン１００（８１１）は、第２通信グループ８２０の第２スマートフォン１００（８２１）からＶｏＩＰ信号を受信すれば、当該信号を第１通信グループ８１０内の他のデジタル無線機機能を有する装置に伝送し、第１通信グループ８１０内の他のデジタル無線機機能を有する装置から信号を受信すれば、当該信号をＶｏＩＰネットワークを通じて第２通信グループ８２０の第２スマートフォン１００（８２１）に伝送する。
同様に、第２スマートフォン１００（８２１）は、第１通信グループ８１０の第１スマートフォン１００（８１１）からＶｏＩＰ信号を受信すれば、当該信号を第２通信グループ８２０内の他のデジタル無線機機能を有する装置に伝送し、第２通信グループ８２０内の他のデジタル無線機機能を有する装置から信号を受信すれば、当該信号をＶｏＩＰネットワークを通じて第１通信グループ８１０の第１スマートフォン１００（８１１）に伝送する。
したがって、第１通信グループ８１０内のデジタル無線機機能を有する装置が伝送した信号は、第１スマートフォン１００（８１１）、ＶｏＩＰネットワーク、第２スマートフォン１００（８２１）を経て第２通信グループ８２０内のデジタル無線機機能を有する装置に伝達され、第２通信グループ８２０内のデジタル無線機機能を有する装置が伝送した信号は、第２スマートフォン１００（８２１）、ＶｏＩＰネットワーク、第１スマートフォン１００（８１１）を経て第１通信グループ８１０内のデジタル無線機機能を有する装置に伝達される。
したがって、第１通信グループ８１０のデジタル無線機機能を有する装置と第２通信グループ８２０のデジタル無線機機能を有する装置は、まるで１つの通信グループに属したように互いに通信させうる。
【００２７】
図１８Ａは、本発明の一実施形態によるデジタル無線機機能を有するスマートフォン１００の使用状態図の一例を示す。図１８Ａを参照すれば、使用者は、本発明の実施形態によるデジタル無線機機能を有するスマートフォン１００と既存の一般的なブルートゥースイヤセット（Ｅ）とを使用して（場合によっては、既存の一般的なブルートゥースイヤセット（Ｅ）なしでも）、他のデジタル無線機機能を有する装置と通信することができる。
【００２８】
図１８Ｂは、本発明の一実施形態によるデジタル無線機機能を有するブルートゥースイヤセット１００’の使用状態図の一例を示す。図１８Ｂを参照すれば、使用者は、本発明の実施形態によるデジタル無線機機能を有するブルートゥースイヤセット１００’と既存の一般的なスマートフォン（Ｍ）とを使用して（場合によっては、既存の一般的なスマートフォン（Ｍ）なしでも）、他のデジタル無線機機能を有する装置と通信することができる。
【００２９】
図１８Ｃは、本発明の一実施形態によるデジタル無線機機能を有するスマートフォン１００及びブルートゥースイヤセット１００’の使用状態図の一例を示す。図１８Ｃを参照すれば、使用者は、本発明の一実施形態によるデジタル無線機機能を有するスマートフォン１００と本発明の実施形態によるデジタル無線機機能を有するブルートゥースイヤセット１００’とを選択的に使用して、他のデジタル無線機機能を有する装置と通信することができる。
【００３０】
以上、本発明について、その望ましい実施形態を中心に説明した。当業者ならば、本発明が、本発明の本質的な特性から外れない範囲で変形された形態として具現可能であるということを理解できるであろう。したがって、開示された実施形態は、限定的な観点ではなく、説明的な観点で考慮されなければならない。本発明の範囲は、前述した説明ではなく、特許請求の範囲に示されており、それと同等な範囲内にあるあらゆる差異点は、本発明に含まれたと解釈しなければならない。
【図１】
0006906679.tif 000002
【図２】
0006906679.tif 000003
【図３】
0006906679.tif 000004
【図４】
0006906679.tif 000005
【図５】
0006906679.tif 000006
【図６】
0006906679.tif 000007
【図７】
0006906679.tif 000008
【図８】
0006906679.tif 000009
【図９】
0006906679.tif 000010
【図１０】
0006906679.tif 000011
【図１１】
0006906679.tif 000012
【図１２】
0006906679.tif 000013
【図１３】
0006906679.tif 000014
【図１４】
0006906679.tif 000015
【図１５】
0006906679.tif 000016
【図１６】
0006906679.tif 000017
【図１７】
0006906679.tif 000018
【図１８Ａ】
0006906679.tif 000019
【図１８Ｂ】
0006906679.tif 000020
【図１８Ｃ】
0006906679.tif 000021